(57)【要約】      （修正有）【課題】温灸効果を有することは勿論のこと、保温性・安全性に優れると共に、製造も容易・迅速で安価な温灸具を提供する。【解決手段】モグサ２と、粒状の遠赤外線放射体３とを一体化用材４で混合・凝縮させた混合・一体化物５を、容器１内に収納し、かつ容器１下部から僅かに突出する如く磁力放射体６を設ける。一体化用材４として寒天を用いる。【選択図】図２
0003196116.tif 000002
【実用新案登録請求の範囲】
【請求項１】
モグサ２と、粒状の遠赤外線放射体３とを一体化用材４で混合・凝縮させた混合・一体化物５を、下方へ僅かに突出する如く磁力線放射体６を設けた容器１内に収納した、温灸具。
【請求項２】
モグサ２と、粒状の遠赤外線放射体３とを一体化用材４で混合・凝縮させた混合・一体化物５を、下部に小孔７をもつ容器１内に収納すると共に、上記小孔７から僅かに突出する如く磁力放射体６を設けた、温灸具。
【請求項３】
磁力線放射体６を小さい球状とした、請求項１又は２のいずれかに記載の温灸具。
【請求項４】
モグサ２と粒状の遠赤外線放射体３とを混合・凝縮させる一体化用材４として、寒天を用いるようにした、請求項１、２、３のいずれかに記載の温灸具。
【考案の詳細な説明】
【技術分野】
【０００１】
本考案はモグサを用いる温灸具の改良に係り、温灸効果を有することは勿論のこと、保温性・安全性に優れると共に、製造も容易・迅速で、かつ安価に提供できる温灸具に関するものである。
【背景技術】
【０００２】
東洋医学・韓医学の一分野において、モグサの有効成分を利用した灸療法は従来から経験的に治療効果があるとされている。
そのモグサを用いる灸療法は、以前はモグサを直接に身体表面に載置して点火する熱灸であった。しかしそれでは、モグサの火が落下して火災の原因になったり、また火傷を生じたりする可能性もあった。
【０００３】
そこで、従来一般には、特殊な形状のモグサ収容ケースを用いたり、モグサに点火した火が直接に身体へ当たらぬように、モグサと身体表面との間に空気層を形成するように、セラミックス板層等を介在させたりするものが多く提案されている。
【０００４】
また近時は、モグサを用いるが点火しないようにした温灸療法も提案されているし、さらには、モグサに加えて遠赤外線放射物質を加えたものや、磁石を用いたものも提案されている。
【先行技術文献】
【特許文献】
【０００５】
【特許文献１】実開平３−７０１３４公報
【特許文献２】実開平５−６５３３４公報
【特許文献３】実開平７−３９８３６公報
【特許文献４】実開平１１−２４４３５４公報
【特許文献５】実用新案登録第３０６０９８４号公報  これらは、火傷の防止やモグサが落下して火災の原因になったりするのを防止するために、モグサと身体表面との間に空間（空気層）を設けるようにしたり、セラミックスその他の台座を介在させたり、また特殊な形状のモグサ収容ケースを用いるものである。
【０００６】
【特許文献６】実開平２−３７６５８公報
【特許文献７】特開２００４−１２１７３１公報
【特許文献８】特開２０１１−２１２３７４公報  これらは、モグサを用いながらモグサに点火しないものであり、熱源として使い捨てカイロを用いたり、電子レンジを用いたり、ヒータを用いるものである。
【０００７】
【特許文献９】実開昭６１−４８７３７公報
【特許文献１０】特許第４６９４５６４号公報
【特許文献１１】特開平１１−２２６０８３公報  これらは、モグサを用いながら、別の加熱手段を用いずに、遠赤外線放射体や遠赤外線粉末を用いたり、また磁石を用いたものである。
【考案の概要】
【考案が解決しようとする課題】
【０００８】
上記特許文献１ないし５に記載のものは、いずれもモグサと身体表面との間に空間（空気層）を設けるようにしたり、セラミックス製その他の台座を介在させたり、また特殊な形状のモグサ収容ケースを用いるものであるため、その容器の構造が特殊であったり、複雑であったりして、その製造に手間がかかったり、製品を安価に提供することができないという問題点があった。
【０００９】
上記特許文献６ないし８に記載のものは、熱源として使い捨てカイロを用いたり、電子レンジを用いたり、ヒータを用いるものであり、モグサや温灸具の他に別途熱源を用意する必要があり、使用時にそれを操作する手間がかかるという問題点もある。
【００１０】
上記特許文献９に記載のものは、遠赤外線放射体としてのセラミックス少板を用いているが、その上にモグサを載置してモグサに点火するものである。そのため、使い方によっては火傷の心配があるし、火災の心配も全く無いわけではない。
【００１１】
また上記特許文献１０に記載のものは、複雑な工程を経て得たモグサ濃縮液に、補助生薬剤、樹脂を混合し、その混合物にさらに遠赤外線放射粉末を混合して組成物を形成するものである。そのため、原材料が多いと共に製造工程が複雑であるため、この温灸具を安価に提供することができない。
【００１２】
さらに上記特許文献１１に記載のものには、モグサ保持用の保持部材を内装した特殊形状の容器を用いるものであり、その下部にドーナツ型の磁石を設けたものでる。しかしこれも、巻きモグサに点火するもので、モグサは使い捨てであるため、火災の心配もあるし、容器自体が特殊な形状をしており、その内部にドーナツ型の磁石を内装するものであるため、製造にも手間がかかるし、あまり安価に提供することができないという問題点がある。
【００１３】
本考案は、上記従来の温灸具が有する問題点の解決を課題としたものである。即ち本考案の目的は、充分な温灸効果を発揮することは勿論のこと、モグサを使用するものでありながら点火を要せず、火災の発生や火傷の心配がなくて安全性に優れ、かつシンプルな構成であるため製造が容易であると共に、モグサを繰り返し使用可能で使い勝手も良く、保温性にも優れた温灸具を提供することにある。
【課題を解決するための手段】
【００１４】
本考案に係る温灸具Ａは、
ａ  モグサ２と遠赤外線放射体３とを一体化用材４で混合・凝縮させて一体化した混合・一体化物５を、容器１内に収納すると共に、該容器１の下部に、僅かに突出する如く磁力線放射体６を設けてなるものである。
ｂ  モグサ２と遠赤外線放射体３とを一体化用材４で混合・凝縮させて一体化した混合・一体化物５を、下部に小孔７をもつ容器１内に収納すると共に、上記小孔７から僅かに突出する如く磁力放射体６を設けてなるものである。
【００１５】
上記構成において、遠赤外線放射体３とは、例えばセラミックス、ガラス、ゲルマニウム、トルマリン、貴陽石、天照石、麦飯石、その他遠赤外線を放射する天然石等を用いればよく、それを粒状にしたものを用いる。この粒状はその大きさを問わず、また粉に近いものであってもよい。
【００１６】
一体化用材４は、上記モグサ２と遠赤外線放射体３との混じり合ったものが、そのままの状態ではバラバラになるから、混合した状態で一定の大きさ・形状に凝縮し一体化させるためのものであり、これは温灸具Ａを製造時に容器１内へ収納し易くするためのものである。この混合・凝縮したもの即ち混合一体化物５は、硬く固まったものである必要はなく、弾力性・柔軟性をもつ程度のものでよい。
【００１７】
この一体化用材４としては、常温（室温）で凝固が行われるように、例えば凝固点が約４０°Ｃである寒天（テングサ等の紅藻類から得られる天然多糖類）を用いることが望ましい。
【００１８】
容器１は、上下が低い短円筒状や角筒状の箱形のもので、完成時には上部及び下部は塞がったものが製造には容易であるが、ドーム形その他の形状であってもよい。その材質はプラスチック製でも厚紙製であってもよい。
【００１９】
磁力線放射体６とは、上記容器１の下部から僅かに突出するように設けられる磁石であって、小球状とするのがよく、そのＮ極が身体の皮膚表面に当たるようにしておくのがよい。ここで小球状とは全くの球形に限らず、例えばやや偏平状や縦長状の小球等も含むものとする。また通常は表面磁束密度が、例えば７００ガウスから１８００ガウス程度の磁力をもつものが有効だと思われるが、これに限るわけではない。
【００２０】
なお、該磁力線放射体６を容器１下部に設けるには、小孔７との間で接着固定してもよいが、図示は省略するが小孔をもつテープで容器１の下面に貼着してもよい。
【考案の効果】
【００２１】
イ）まず、製造時における作用・効果
製造を容易・迅速に行えると共に、安価に提供することができる。
即ち、本温灸具Ａは上記のように、モグサ２と遠赤外線放射体３とを一体化用材４で混合・凝縮させ、その混合・一体化物５を容器１内に収納すると共に、該容器１の下部に、僅かに突出する如く磁力線放射体６を設けたものである。
【００２２】
本温灸具Ａの製造では、モグサ２と遠赤外線放射体３とは、それらがバラついた状態ではなく、一体化用材４で予め混合・凝縮させた混合・一体化物５を用いている。即ち、前もって、モグサ２と遠赤外線放射体３とを一体化用材４で混合・凝縮させた混合・一体化物５を多数個作っておき、それを１個ずつ各容器１内へ収納させればよい。そのため、製造は人力でも機械によっても、容易・迅速に容器１内へ収納させて本温灸具Ａを完成することができるから、容易・迅速かつ安価に製造し提供することができる。
【００２３】
ロ）次に、使用時における作用・効果
本温灸具Ａの使用状態は、通常の温灸具と同様に、身体のツボやコリがある部位に、下部から突出した磁力線放射体６が当接するように載置すればよい。
【００２４】
ａ）これによって、本考案の温灸具Ａでは、モグサに点火することなく、身体内の細胞の活動も活発化し、血行がよくなり、新陳代謝も活発になるという温灸効果を得ることができる。
即ち、本考案の温灸具Ａでは、容器１内部にモグサ２と遠赤外線放射体３との混合・一体化したものが収納されている。そのモグサ２の成分には、ヒストトキシン、ヒスチジン、チオネールや、更にはアブシントール、アルテネッシアケトン等が含まれた揮発油も含まれている。そのため、それらによる抗ウイルス作用、鎮痛作用等の効果が期待されており、かつ人間の自然治癒力を刺激し、活発化して、ホルシス効果・ホメオスタシス機能の向上等も期待できる。
【００２５】
また、遠赤外線放射体３からは、放射される遠赤外線が水分子等に運動エネルギーを与えて分子の運動を活発化させ、分子に自己発熱を生じさせることで、物質の内部を温める。そのため、身体内の細胞の活動も活発化して、血行がよくなり、新陳代謝も活発になることも期待される。
【００２６】
ｂ）さらに本考案の温灸具Ａでは、磁気の作用により血行を促進してコリの解消を促すことができる。
即ち、本考案の温灸具Ａでは、ツボやコリのある部位へ局部的に、磁力線放射体６が皮膚表面へ当接可能に突設したものである。血液成分中のプラスイオンとマイナスイオンが血管中を流れることは、電流が流れることに等しいが、それに対して磁力線放射体６が磁場を加えることで、「フレミングの左手の法則による力」が発生することになる。そのため、この力がイオンの流れを活発にし、血液の流れを良くすると考えられている。本考案の温灸具Ａの使用者の経験則からも、血行がよくなりコリが解消すると言われている
【００２７】
また、ここでの磁力線放射体６を小さい球状に形成してあるので、身体のツホやコリのある部位へ局所的に、言い換えればピンポイント的に作用させることができ、より効果的に効くことになる。
【００２８】
ｃ）さらに本考案の温灸具では、モグサを用いるものでありながら、モグサに点火せずに温灸治療することができる。
即ち、全く火を使うことなく、火災の発生や火傷の心配がなくて安全性に優れ、上記のような温灸効果を得ることができ、保温効果も備えたものになっている。
【００２９】
ｄ）なお、本考案の温灸具Ａの通常の使用状態は上記のように、身体のツボやコリがある部位にそのままで置けばよいが、冬季その他の事情で少し温かい状態で使用したいなら、これを例えば直射日光下で温めておいたり、あるいは何かの加熱器具〔例えばベープマット（フマキラー株式会社の登録商標）〕用の器具で短時間温めた状態で使用することも可能である。
【図面の簡単な説明】
【００３０】
【図１】本考案に係る温灸具の容器を短円筒状にした実施例の下方からの一部切り欠き斜視図である。
【図２】本考案に係る温灸具の容器を短四角筒状にした実施例の下方からの一部切り欠き斜視図である。
【図３】図２で示したものの拡大縦断面図である。
【図４】モグサと遠赤外線放射体とを一体化用材で混合・凝縮させた混合・一体化物の実施例を示す斜視図である。
【考案を実施するための形態】
【００３１】
本考案は、モグサ２と粒状の遠赤外線放射体３とを一体化用材４で混合・凝縮させ、その混合・一体化物５を容器に収納させると共に、該容器１に磁力線放射体６を僅かに下方へ突出する状態で設けて、温灸具Ａとしたものである。
【実施例１】
【００３２】
図１ないし図３は、本考案に係る温灸具Ａの一実施例を示すものである。図での１は容器、２はモグサ、３は遠赤外線放射体、４は一体化用材、５は混合・一体化物、６は磁力線放射体を示す。
図１での容器１は、ここでは厚さ約１ｍｍの厚紙製で、直径約３０ｍｍ、高さ約１５ｍｍの短円筒形をしており、完成後の形状は上・下が上板と下板で塞がったものであるが、下板の中央部には内径約４ｍｍの小孔７を形成してある。
【００３３】
上記容器１内には、ここでは長さ約１０ｍｍのモグサ２と、遠赤外線放射体としてここでは天照石３を直径約５ｍｍの粒状にしたものとを、１対０．６程度の体積比で混合させたものを充填する。このモグサ２と粒状の天照石３との混合したものは、そのままの状態ではバラバラになるので、ここでは予め、容器１内へ収納する量を一体化用材４で混合・凝縮した混合・一体化物５に形成しておく。この混合・一体化物５は上記のように、硬く固まったものである必要はなく、弾力性・伸縮性をもつものである。
【００３４】
上記一体化用材４としては、ここではゲル状とした寒天を用いる。これは、寒天の凝固点は約４０°Ｃであるから、室温で容易に固めることができるからである。製造時には、このようにモグサ２と天照石３とを寒天４により混合・凝縮させた混合・一体化物５（図４参照）を予め多数個形成しておき、それを各容器１内へ収納することで、本考案に係る温灸具Ａの製造を容易・迅速かつ安価に提供可能となる。
【００３５】
上記磁力線放射体は磁石６であって、ここでは直径が約５ｍｍのやや偏平な小球状で、人の皮膚表面に当接する下面が湾曲面となったものを用いている。そのＮ極が身体の皮膚表面へ当接可能に、容器１の下板中央部の小孔７から僅かに下方へ、ここでは２ｍｍ程を下方へ突出するように下板に接着固定してある。
【００３６】
この磁力線放射体６としては、市販品の磁気治療具と言われているものを利用してもよい。例えば「ピップエレキバン８０」（ピップ株式会社の商標）のようなものである。
【実施例２】
【００３７】
図２は他の実施例を示すもので、上記実施例１との相違点を中心に説明する。ここでの容器１は一辺が約４０ｍｍ、高さが約１５ｍｍの低い立方体の箱状であり、ここではプラスチック製で、上板と下板を有しており、下板の中央に約４ｍｍの小孔７を形成したものである。
【００３８】
遠赤外線放射体３として、ここではセラミックスを用い、それを粒状にしたものを用いて、それとモグサ２とをここでは１対０．６程度の体積比で混合するようにしてある。上記モグサ２と粒状のセラミックス３とを一体化用材としての寒天４で混合・凝縮した混合・一体化物５を、予め形成しておく。なおここでも一体化用材４としては、常温（室温）で凝固して使い易いものとして、寒天を用いている。
【００３９】
上記磁力線放射体としての磁石６は，ここでも市販品の磁気治療具を利用してもよい。ここでは「ピップエレキバン１９０」（ピップ株式会社の商標）を用いて、容器１の下板の小孔７から僅かに下方へ、ここでは約１ｍｍが突出するように、ここでは接着固定してある。図での７は、本温灸具Ａを身体表面９の特定部位に載置して固定するために設けた粘着テープを示す。
【００４０】
上記した２つの実施例で、構造は殆ど同じであり、その使用状態や作用効果は殆ど共通するものである。これにより、充分な温灸効果を発揮することは勿論のこと、モグサ２を使用するものでありながら点火を要せず、火災の発生や火傷の心配がなくて安全性に優れると共に、使い勝手が良く保温性にも優れたものであり、かつ容易・迅速で安価に製造できる温灸具となっている。
【産業上の利用可能性】
【００４１】
本考案に係る温灸具Ａは、モグサ２と遠赤外線放射体３とを一体化用材４で混合・凝縮した混合・一体化物５を、下部に磁力線放射体６を僅かに突出した容器１内に収納する、というシンプルな構成と製造工程にて可能となる。モグサ２を用いながら火災や火傷が心配で点火したくない温灸愛好者に対して、モグサ２による充分な温灸効果と、遠赤外線放射体３による温熱効果と、磁力線放射体６の磁気作用による血行促進やコリの解消を促すことができる温灸具Ａを、容易・迅速・安価に提供可能となる。
【符号の説明】
【００４２】
Ａ−温灸具
１−容器
２−モグサ
３−遠赤外線放射体，天照石，セラミックス
４−一体化用材，寒天
５−混合・一体化物
６−磁力線放射体，磁石
７−小孔
８−粘着テープ
９−身体表面
【図１】
0003196116.tif 000003
【図２】
0003196116.tif 000004
【図３】
0003196116.tif 000005
【図４】
0003196116.tif 000006